(57)【要約】【課題】病院外で発生した患者に対する一次救命措置の一環として水素含有ガスを吸入させるために好適な装置を提供する。【解決手段】病院外で発生した患者に対する一次救命措置に際して用いられる他の装置または器具４と同一場所、またはこれに近接する場所に設置されるものであり、患者に吸入させるための水素を発生させるかまたは貯蔵している供給器１と、供給器１から吐出される水素を含むガスを患者に吸入させるべく患者の口または鼻の近傍へと導く吸入器２と、他の装置または器具４の使用を開始する行為に付随して、供給器１から吸入器２への水素の供給を不能とする非使用状態から、供給器１から吸入器２への水素の供給を可能とする使用可能状態へと切り替わる切替機構とを具備する水素含有ガス吸入装置を構成した。【選択図】図１
2019118449.tif 000002
【特許請求の範囲】
【請求項１】
病院外で発生した患者に対する一次救命措置に際して用いられる他の装置または器具と同一場所、またはこれに近接する場所に設置されるものであり、
患者に吸入させるための水素を発生させるかまたは貯蔵している供給器と、
前記供給器から吐出される水素を含むガスを患者に吸入させるべく患者の口または鼻の近傍へと導く吸入器と、
前記他の装置または器具の使用を開始する行為に付随して、前記供給器から前記吸入器への水素の供給を不能とする非使用状態から、供給器から吸入器への水素の供給を可能とする使用可能状態へと切り替わる切替機構と
を具備する水素含有ガス吸入装置。
【請求項２】
前記他の装置または器具が自動体外式除細動器であり、この自動体外式除細動器と同じ収納ケース内に前記供給器及び前記吸入器が収容される請求項１記載の水素含有ガス吸入装置。
【請求項３】
前記供給器及び前記吸入器が、一人の手により携行可能な寸法及び重量を有する請求項１または２記載の水素含有ガス吸入装置。
【請求項４】
使用者が前記供給器及び吸入器を収容している収納ケースの扉若しくは蓋を開く操作に起因して供給器に何らかの作用が及ぼされることで、前記切替機構が前記非使用状態から前記使用可能状態へと切り替わる請求項１、２または３記載の水素含有ガス吸入装置。
【請求項５】
使用者が前記供給器及び吸入器を収容している収納ケースから供給器及び吸入器を持ち出す操作に起因して供給器に何らかの作用が及ぼされることで、前記切替機構が前記非使用状態から前記使用可能状態へと切り替わる請求項１、２または３記載の水素含有ガス吸入装置。
【発明の詳細な説明】
【技術分野】
【０００１】
本発明は、病院外で発生した患者に対する一次救命措置の一環として水素含有ガスを吸入させるための装置に関する。
【背景技術】
【０００２】
心臓病による死亡の多くは病院外で突発的に起こる心臓突然死であり、日本国内でも毎年五万人以上が命を落としている。このような現状に鑑み、救急救命士制度の充実に加えて、自動体外式除細動器（Automated External Defibrillator）の各所への配備、バイスタンダーＣＰＲ（CardioPulmonary Resuscitation、患者の発生した現場に居合わせた一般市民による、胸骨圧迫、人工呼吸及びＡＥＤの使用を含む心肺蘇生）の実践のための訓練といった対策がとられてきた。
【０００３】
近年、心筋梗塞や肺動脈塞栓症、腸間膜動脈塞栓症、心肺蘇生後脳症、脳梗塞等との関係で、虚血再灌流障害の存在が注目を集めている。虚血再灌流障害とは、虚血状態にある臓器または組織に血液再灌流が起きた際に、当該臓器または組織内の微小循環において種々の毒性物質が産生されて惹起される障害のことであり、局所のみならず二次的に全身の主要臓器、即ち脳、肺、肝臓、腎臓等が標的となって多臓器不全に陥るおそれがある。その機序の一部は、先行する虚血により増加したヒポキサンチンと血液再灌流により供給された酸素分子とにキサンチン酸化酵素が作用し、スーパーオキサイドアニオン、ハイドロキシラジカル、過酸化水素といった活性酸素が生成されて細胞傷害に至るというものである。特に、普通の血液よりも酸素化された血液で再灌流する方が、より強い傷害がもたらされることが知られている。
【０００４】
水素分子が様々な病気や病状に対して効果があることは動物実験では既に示されており、人間に対する効果も期待されている。平成２８年１２月には、厚生労働省先進医療Ｂ６８番として「水素ガス吸入療法」が承認された（下記非特許文献１を参照）。これは、成人院外心停止後患者のうち自己心拍再開後も昏睡が持続する患者を対象として、集中治療室で十八時間、２％水素添加酸素（水素２％、酸素４８％、窒素５０％の混合ガス）を吸入させるものであり、水素により患者の体内の有害物質を無毒化することで心停止後症候群における脳の障害を軽減し、以て回復後の社会復帰の可能性を高めることを企図している。
【０００５】
また、ヒト急性脳梗塞に対する水素水投与のメリットとリスクを試験的に調査した研究（下記非特許文献２を参照）や、ヒト急性脳梗塞患者に対する水素含有ガス吸引治療の安全性テェックのための生理的パラメータ及び血中水素濃度の測定に関する基礎的研究（下記非特許文献３を参照）、ヒト急性脳梗塞の臨床試験においてハイドロキシラジカル捕捉剤である脳保護薬Edaravone単独とEdaravone及び水素の併用との効果をＭＲＩ指標で比較した研究（下記非特許文献４を参照）等も存在する。
【先行技術文献】
【非特許文献】
【０００６】
【非特許文献１】“先進医療の各技術の概要”、［online］、厚生労働省ウェブサイト、［平成２９年１１月２０日検索］、インターネット＜ＵＲＬ：http://www.mhlw.go.jp/topics/bukyoku/isei/sensiniryo/kikan03.html＞
【非特許文献２】K. Nagatani et al、“Safety of intravenous administration of hydrogen-enriched fluid in patients with acute cerebral ischemia: initial clinical studies”、Med. Gas Res. 2013 3:13
【非特許文献３】H. Ono et al、“A basic study on molecular hydrogen (H2) inhalation in acute cerebral ischemia patients for safety check with physiological parameters and measurement of blood H2 level”、Med. Gas Res. 2012 2:21 doi:10.1186/2045-9912-2-21
【非特許文献４】H. Ohno et al、“Improved brain MRI in the acute brain stem infarct sites treated with hydroxyl radical scavengers, Edaravone and hydrogen, as compared to Evalavone alone. A non-controled study”、Med. Gas Res. 2012 2:21 doi:10.1186/2045-9912-2-21
【発明の概要】
【発明が解決しようとする課題】
【０００７】
病院外で発生した患者の生存退院率を高めるためには、患者に対する一次救命措置を可能な限り早期に開始することが望ましい。今日の日本国では、救急車の出動を要請してから患者の所在する現場に救急車が到着するまでの間に、五分ないし十分程度の時間を要する。その間に患者に対する措置を行うことで、患者の生存率とともに後遺症を軽減できる可能性が高まるだろう。
【０００８】
上掲の先進医療「水素ガス吸引療法」は、専ら病院の集中治療室で実施されるものである。現状のところ、病院外で患者に水素を供給することは全く考えられていない。
【０００９】
本発明は、病院外で発生した患者に対する一次救命措置の一環として水素含有ガスを吸入させるために好適な装置を提供しようとするものである。
【課題を解決するための手段】
【００１０】
本発明では、病院外で発生した患者に対する一次救命措置に際して用いられる他の装置または器具と同一場所、またはこれに近接する場所に設置されるものであり、患者に吸入させるための水素を発生させるかまたは貯蔵している供給器と、前記供給器から吐出される水素を含むガスを患者に吸入させるべく患者の口または鼻の近傍へと導く吸入器と、前記他の装置または器具の使用を開始する行為に付随して、前記供給器から前記吸入器への水素の供給を不能とする非使用状態から、供給器から吸入器への水素の供給を可能とする使用可能状態へと切り替わる切替機構とを具備する水素含有ガス吸入装置を構成した。
【００１１】
前記供給器は、水及びこれと反応する反応物を包有し前記使用可能状態においてこれらを反応させることで水素を発生させる化学反応式のものであったり、前記使用可能状態において水電解により水素を発生させる水電解式のものであったり、予め水素を含むガスを貯蔵しており前記使用可能状態においてそのガスを吐出するボンベ（または、タンク）式のものであったりする。
【００１２】
前記他の装置または器具は、例えば自動体外式除細動器（ＡＥＤ）であり、このＡＥＤと同じ収納ケース内に本発明に係る水素含有ガス吸入装置（の供給器及び吸入器）が収容され得る。
【００１３】
前記供給器及び前記吸入器は、一人の手により携行可能な寸法及び重量を有するものであることが好ましい。
【００１４】
より具体的には、使用者が前記供給器及び吸入器を収容している収納ケースの扉若しくは蓋を開く操作に起因して供給器に何らかの作用が及ぼされることで、前記切替機構が前記非使用状態から前記使用可能状態へと切り替わる。
【００１５】
あるいは、使用者が前記供給器及び吸入器を収容している収納ケースから供給器及び吸入器を持ち出す操作に起因して供給器に何らかの作用が及ぼされることで、前記切替機構が前記非使用状態から前記使用可能状態へと切り替わる。
【発明の効果】
【００１６】
本発明によれば、病院外で発生した患者に対する一次救命措置の一環として水素含有ガスを吸入させるために好適な装置を実現できる。
【図面の簡単な説明】
【００１７】
【図１】本発明の一実施形態の水素含有ガス吸入装置を示す斜視図。
【図２】同実施形態の水素含有ガス吸入装置の化学反応式の供給器の内部構造を示す断面図。
【図３】同実施形態の水素含有ガス吸入装置の水電解式の供給器の原理を示す図。
【図４】同実施形態の水素含有ガス吸入装置の水電解式の供給器の原理を示す図。
【図５】同実施形態の水素含有ガス吸入装置の吸入器を示す斜視図。
【図６】同実施形態の水素含有ガス吸入装置の吸入器を示す斜視図。
【図７】同実施形態の水素含有ガス吸入装置の切替機構を示す側面図。
【図８】同実施形態の水素含有ガス吸入装置の切替機構を示す平面図。
【図９】同実施形態の水素含有ガス吸入装置の切替機構を示す断面図。
【発明を実施するための形態】
【００１８】
本発明の一実施形態を、図面を参照して説明する。図１に示すように、本実施形態における水素含有ガス吸入装置０は、病院外で発生した患者に対する一次救命措置に際して用いられる他の装置または器具４と同一場所、またはこれに近接する場所に設置される。そして、病院外で、救急車、救急救命士または医師がその現場に到着するよりも前に、直ちに患者に対して水素含有ガスの吸入を開始するために使用される。水素含有ガスの吸入は、例えば、心筋梗塞、肺動脈塞栓症、腸間膜動脈塞栓症、心肺蘇生後脳症、脳梗塞等を引き起こした患者に対して実施され、虚血再灌流により患者の体内に発生する活性酸素を打ち消して細胞障害を低減することを狙いとする。
【００１９】
上記の他の装置または器具４は、典型的にはＡＥＤであるが、それ以外の具体例として、患者を搬送するための担架またはストレッチャー、薬品、絆創膏、外傷への対応や止血その他の処置に使用される医療器具類を収めた救急箱、低体温療法（脳低温療法）のための体温調節装置、等を挙げることができる。低体温療法のための体温調節装置の一として、商品名「クーデックアイクール」が既知である（参考ＵＲＬ：http://www.okayama-u.ac.jp/tp/release/release#id166.html）。これは、患者の口から咽頭に向けて冷却カフを挿入し、冷却カフに冷却水１０を供給して咽頭近傍の血流との間で熱交換を行い、患者の脳の温度を低下させるというもので、将来的にはＡＥＤ４のように各所に配備可能な小型または携帯型の装置が開発されることが期待されている。本水素含有ガス吸入装置０は、心肺蘇生が必要とされるような患者に使用されることが想定され、故にＡＥＤ４との親和性が高い。
【００２０】
図１に示すように、本実施形態の水素含有ガス吸入措置は、患者に吸入させるための水素を発生させるかまたは貯蔵している供給器１と、供給器１から吐出される水素を含むガスを患者に吸入させるべく患者の口または鼻の近傍へと導く吸入器２と、上記の他の装置または器具４の使用を開始するために行われる操作に付随して、供給器１から吸入器２への水素の供給を不能とする非使用状態から、供給器１から吸入器２への水素の供給を可能とする使用可能状態へと切り替わる切替機構とを具備する。
【００２１】
供給器１の種類には、水１０及びこれと反応する反応物１３を包有しこれらを反応させることで水素を発生させる化学反応式、水電解により水素を発生させる水電解式、及び水素を含むガスを貯蔵しそのガスを吐出するボンベ式がある。
【００２２】
図２に示すように、化学反応式の供給器１では、容器１１内の空間が隔壁１２により複数の領域に区画されており、その一方の領域に反応物１３を、他方の領域に水（滅菌水が好ましい）１０を蓄えている。そして、隔壁１２の一部を破壊または開通させることで、容器１１内で反応物１３と水１０とを混交し、両者の反応を惹起して水素分子を発生させる。反応物１３の具体例としては、水素化マグネシウム（マグ水素）、水素化カルシウム、金属マグネシウム、金属カルシウム、金属アルミニウム、金属亜鉛、金属ニッケル、金属コバルト等を挙げることができる。なお、反応物１３と反応する水１０を酸性化またはアルカリ性化する目的で、クエン酸その他の酸や、水酸化マグネシウム、水酸化カルシウムその他の塩基が添加されることがある。
【００２３】
化学反応式の供給器１を具備する水素含有ガス吸入装置０の使用を開始するにあたっては、例えば、使用者が弾性変形可能な容器１１を揉む、または圧縮するように変形させる操作を行うことが考えられる。これにより、容器１１内の隔壁１２に圧力を加えて隔壁１２に機械的な破壊を起こし、水１０と反応物１３とが混交する状態を作出する。さすれば、供給器１において水素ガスが発生し、その水素ガスが容器１１の吐出口から吐出されるようになる。あるいは、使用者が容器１１を壁や床、地面等に叩き付けることで容器１１内の隔壁１２に衝撃を与え、隔壁１２に破壊を起こすような態様もあり得る。
【００２４】
水電解式の供給器１は、容器１１内に蓄えた水（滅菌水が好ましい）１０に電圧を印加することで水１０を電気分解し、陰極１４において水素分子を発生させる。水電解式の供給器１は、図３に示すようにアルカリ水電解を行うものや、図４に示すように固体高分子形水電解を行うものであり得る。アルカリ水電解では、予め水１０に水酸化ナトリウム、水酸化カリウム、塩化ナトリウム等が添加された電解液に電圧を印加する。その陰極１４と陽極１５との間には、多孔質材料の隔膜１６が配置される。他方、固体高分子形水電解では、固体高分子形燃料電池と同様の電解質膜−電極接合体（ＭＥＡ）１４、１５、１７が形成されており、電解質膜１７と電極１４、１５との間にギャップが存在せず、陰極１４と陽極１５との距離が非常に近くなっている。
【００２５】
水電解式の供給器１を具備する水素含有ガス吸入装置０は、電源としてバッテリ１８３を有し、及び／または、電灯線その他の外部電源のプラグ受（コンセント）に差し込まれる差込プラグを備え外部電源から電力供給を受けるための電源コードを有する。なお、本水素含有ガス吸入装置０の供給器１がＡＥＤ４と電源バッテリを共用する、即ちＡＥＤ４のバッテリから電力供給を受けることを妨げない。
【００２６】
水電解式の供給器１を具備する水素含有ガス吸入装置０の使用を開始するにあたっては、例えば、使用者が操作パネルのスイッチを操作して、容器１１内の水１０に浸されている電極１４、１５への通電を開始する。さすれば、供給器１において水電解により水素ガスが発生し、その水素ガスが容器１１の吐出口から吐出されるようになる。
【００２７】
水電解式の供給器１が水素ガスを発生させるためには、当然のことながら、電極１４、１５が水１０に触れている必要がある。容器１１が傾けられたり横転したりしても電極１４、１５が水１０に浸されているようにするために、水１０、電極１４、１５、隔膜１６または電解質膜１７を封入した水電解装置（水素発生装置）を重りを取り付けた上でジンバル機構等を介して容器１１に支持させ、当該水電解装置が容器１１内で常に一定の姿勢をとるように構成することが好ましい。
【００２８】
ボンベ式の供給器１は、容器１１内に水素ガスを蓄え、または、水素ガスに酸素及び窒素ガスを適当な割合、例えば水素２％、酸素４８％、窒素５０％の割合で混合したガスを蓄える。つまり、ボンベ式の供給器１では、患者に供給するべき水素分子が使用前から既に存在している。但し、患者に吸入させるガスの水素の含有率は２％には限定されず、これより少なくても多くてもよい。
【００２９】
ボンベ式の供給器１を具備する水素含有ガス吸入装置０の使用を開始するにあたっては、例えば、使用者が弁を開く操作を行い、容器１１内に蓄えられたガスを吐出口から流出させ得るようにする。無論、水電解式または化学反応式の供給器１を具備する水素含有ガス吸入装置０においても、使用者が弁を開く操作を行うことでガスを容器１１の吐出口から流出させることがあり得る。
【００３０】
供給器１が化学反応式または水電解式のものである場合、容器１１の吐出口から水素ガスが吐出され、これを大気または空気と混交した上で患者に吸入させる。供給器１がボンベ式のものである場合には、予め容器１１内に水素とともに空気の成分である酸素及び窒素を蓄えておくことができ、容器１１の吐出口から吐出される混合ガスをそのまま患者に吸入させることが可能である。
【００３１】
吸入器２は、例えば、図５に示すように患者の鼻及び口元を覆うように装着されて鼻腔及び口腔に水素含有ガスを導くフェイスマスクや、図６に示すように患者の鼻腔に挿入されて鼻腔に水素含有ガスを導く経鼻カニューレである。一次救命措置において人工呼吸が行われる場合、フェイスマスクよりも経鼻カニューレの方が利便性が高いかもしれない。供給器１の吐出口とフェイスマスクまたは経鼻カニューレとを繋ぐ、供給器１から供給される水素ガスが流通するチューブ２１の長さは任意であり、図示例よりもずっと短いか殆ど存在しない可能性がある。チューブ２１は、水素が漏洩、拡散しにくいような素材により作製され、または水素の漏洩を抑制するような処理（アルミコーティング等）が施されていることが好ましい。なお、供給器１の吐出口の近傍ないしチューブ２１に、供給器１（特に、化学反応式のもの）から吐出される水素ガス以外の副生成物を除去するためのフィルタ、または患者に吸入させるガスを脱臭するための脱臭器を介設することがある。
【００３２】
そして、供給器１及び吸入器２は、一人の手により携行可能な寸法及び重量を有するものであることが望ましい。
【００３３】
切替機構の具体的態様は、種々考えられる。以降、切替機構の具体的態様を列挙する。まず、図１に示すように、水素含有ガス吸入装置０の供給器１及び吸入器２が、他の装置または器具であるＡＥＤ４と同一の収納ケース３に収納され、または同一の収納ケース３ではなくともＡＥＤ４の設置場所に近接する場所に置かれた収納ケースに収容されている場合において、この収納ケース３を開閉する扉若しくは蓋３１自体が切替機構となり得る。なお、収納ケース３の大きさは、図示例のものよりも小さい（特に、一人の手により携行可能な程度の寸法である）ことがあり得る。収納ケース３の扉若しくは蓋３１が閉じているときには、使用者が収納ケース３内から水素含有ガス吸入装置０の供給器１及び吸入器２を持ち出すことができず、当然の帰結として、供給器１から吸入器２への水素ガスの供給を開始するための操作、即ち容器１１内の隔壁１２の破壊または開通、電気分解のための通電を開始するためのスイッチのＯＮ操作、弁の開放等を行うことができない。つまり、水素含有ガス吸入装置０が非使用状態となる。そして、ＡＥＤ４とともに水素含有ガス吸入装置０の供給器１及び吸入器２を持ち出そうとする使用者が収納ケース３の扉若しくは蓋３１を開けば、供給器１及び吸入器２を操作することが可能となる。つまりは、水素含有ガス吸入装置０が使用可能状態となる。
【００３４】
供給器１に制御回路（マイクロコンピュータシステムであることがある）１８を実装し、制御回路１８により供給器１からの水素ガスの吐出を制御する場合には、この制御回路１８が切替機構の役割を担い得る。制御回路１８は、例えば、水電解式の供給器１における電極１４、１５への通電を制御したり、供給器１の吐出口の近傍または供給器１内に設けられた弁（ソレノイドバルブであることがある）を開閉したりすることで、供給器１の吐出口から水素ガスを吐出しない状態と吐出する状態とを切り替える。弁は、供給器１の内と外とを遮断／開通するものであることもあれば、化学反応式の供給器１の内部における反応物１３を蓄えた領域と水１０を蓄えた領域との間を遮断／開通するものであることもある。
【００３５】
その上で、収納ケース３の扉若しくは蓋３１が開かれた事実を何らかの手段でセンシングし、その事実を検知したことに基づいて、制御回路１８が非使用状態から使用可能状態へと切り替わるようにすることができる。例えば、図７に示すように、収納ケース３外の環境光または外光を感知する光センサ１８１を制御回路１８に接続し、収納ケース３の扉若しくは蓋３１が開かれることで収納ケース３内に入射する環境光または外光を検出したことを条件として、制御回路１８による電極１４、１５への通電を可能とし、または弁の開放を可能とする。あるいは、収納ケース３の扉若しくは蓋３１に磁石を取り付けるとともに、リードスイッチその他の磁気センサ１８１を制御回路１８に接続し、この磁気センサ１８１を介して磁石と磁気センサ１８１との距離が変化したこと、即ち扉若しくは蓋３１が開かれたことを検知するようにしても構わない。
【００３６】
図８に示すように、収納ケース３の扉若しくは蓋３１が開かれたことを収納ケース３に付設した光学式、磁気式、機械式等のセンサ１８２により検出することとし、当該センサ１８２を制御回路１８に無線または有線で信号授受可能に接続しておき、同センサ１８２を介して扉若しくは蓋３１の開放を検出したことを条件として、制御回路１８による電極１４、１５への通電を可能とし、または弁の開放を可能とすることもできる。
【００３７】
収納ケース３の扉若しくは蓋３１を開くために扉若しくは蓋３１に加えられる操作力を、何らかの伝達機構（ワイヤまたはチェーン、ロッド、歯車電動装置や巻掛伝動装置、空気圧シリンダまたは液圧シリンダ、磁石、ソレノイド、モータ等）を介して、機械的な力を受けて切り替わるスイッチ（密閉型リミットスイッチ等）に伝達するようにし、当該スイッチを制御回路１８に接続しておき、扉若しくは蓋３１が開かれて同スイッチが切り替わったことを条件として、制御回路１８による電極１４、１５への通電を可能とし、または弁の開放を可能とする態様も考えられる。
【００３８】
あるいは、ＡＥＤ４とともに水素含有ガス吸入装置０が収納ケース３外に持ち出された事実を何らかの手段でセンシングし、その事実を検知したことに基づいて、制御回路１８が非使用状態から使用可能状態へと切り替わるようにすることもできる。収納ケース３外の環境光または外光を感知する光センサや、収納ケース３内の所定位置に取り付けた磁石の磁気を検出するセンサ等は、水素含有ガス吸入装置０が収納ケース３外に持ち出された事実を検知する手段となり得る。
【００３９】
収納ケース３の扉若しくは蓋３１が開かれた事実、またはＡＥＤ４とともに水素含有ガス吸入装置０が収納ケース３外に持ち出された事実を検知する手段として、収納ケース３またはその扉若しくは蓋３１と水素含有ガス吸入装置０（特に、供給器１）との相対的な位置関係の変化を検出する超音波センサ（超音波レーダ）や、水素含有ガス吸入装置０に人の身体が接近したことを検出する人感センサ（パッシブ赤外線センサ）等を採用してもよい。
【００４０】
宿泊施設や住宅等に設置される常備灯に類似した機構を採用することもできる。図９に示す例では、収納ケース３内（収納ケース３の内壁や床等）に設けられた台座に供給器１を保持させて設置しており、ＡＥＤ４とともに水素含有ガス吸入装置０を収納ケース３から持ち出そうとする使用者がその設置場所からこれを移動させる、特に供給器１を台座から取り外すことで、制御回路１８と電源バッテリ１８３とを電気的に接続する回路を遮断していた絶縁体３２が供給器１から引き抜かれ、制御回路１８に通電されて制御回路１８が非使用状態から使用可能状態へと切り替わる。なお、絶縁体３２が収納ケース３の扉若しくは蓋３１に取り付けられており、扉若しくは蓋３１が開かれることで絶縁体３２が供給器１から引き抜かれるものとしてもよい。
【００４１】
ＡＥＤ４と水素含有ガス吸入装置０とを連動させる態様も考えられる。即ち、ＡＥＤ４側の制御回路と水素含有ガス吸入装置０側の制御回路１８とを無線または有線で通信可能に接続し、ＡＥＤ４が起動した場合にその旨を示す信号をＡＥＤ４側の制御回路から水素含有ガス吸入装置０側の制御回路１８に向けて送信し、これを受信した水素含有ガス吸入装置０側の制御回路１８が非使用状態から使用可能状態へと切り替わるようにする。
【００４２】
制御回路１８によらない物理的または機械的な切替機構を構成することも可能である。例えば、水素含有ガス吸入装置０の供給器１及び吸入器２を収容している収納ケース３の扉若しくは蓋３１を開く操作に起因して供給器１に外力が作用し、その結果として、供給器１から吸入器２への水素の供給を不能とする非使用状態から、供給器１から吸入器２への水素の供給を可能とする使用可能状態へと切り替わるようにしてもよい。より具体的には、収納ケース３の扉若しくは蓋３１を開くために扉若しくは蓋３１に加えられた操作力を何らかの伝達機構（供給器１を押したり供給器１内に差し込まれたりするピン、ロッド等を含むことがある）を介して供給器１に伝達し、その操作力によって化学反応式の供給器１内の隔壁１２を破壊したり、供給器１に付随する弁を開いたり、または弁を開かないように拘束している留め具を脱離させて弁を開放可能としたりする。この場合、収納ケース３の扉若しくは蓋３１に加わる操作力を供給器１に伝達する伝達機構が、切替機構を構成する。収納ケース３に収容されている供給器１がケース３内で浮いた状態に支持されており、収納ケース３の扉若しくは蓋３１を開く操作に起因して浮いていた供給器１が落下して供給器１に衝撃が加わり、これにより供給器１内の隔壁１２を破壊したり、弁を開いたり、弁を拘束する留め具を脱離させて弁を開放可能としたりすることも考えられる。
【００４３】
あるいは、収納ケース３内に収容されている供給器１及び吸入器２をＡＥＤ４とともに収納ケース３外に持ち出す操作に起因して供給器１に外力が作用し、その結果として、非使用状態から使用可能状態へと切り替わるようにしてもよい。例えば、供給器１に留め具その他の部材が組み付けられ、この部材が収納ケース３にワイヤまたはチェーン等を介して係留されており、使用者が供給器１を収納ケース３外に持ち出すことで、ケース３に係留された部材が供給器１から脱離し、その部材の脱離によって供給器１内の隔壁１２を破壊したり、弁を開いたり、弁の拘束を解除して弁を開放可能としたりすることが考えられる。
【００４４】
本実施形態では、病院外で発生した患者に対する一次救命措置に際して用いられる他の装置または器具４と同一場所、またはこれに近接する場所に設置されるものであり、患者に吸入させるための水素を発生させるかまたは貯蔵している供給器１と、前記供給器１から吐出される水素を含むガスを患者に吸入させるべく患者の口または鼻の近傍へと導く吸入器２と、前記他の装置または器具４の使用を開始するために行われる操作（収納ケース３の扉若しくは蓋３１の開操作、持ち出し、ＡＥＤ４の起動等）に付随して、前記供給器１から前記吸入器２への水素の供給を不能とする非使用状態から、供給器１から吸入器２への水素の供給を可能とする使用可能状態へと切り替わる切替機構とを具備する水素含有ガス吸入装置０を構成した。
【００４５】
本実施形態によれば、病院外で発生した患者に対する一次救命措置の一環として、現場で直ちに患者に水素含有ガスを吸入させる処置を開始することができる。従って、救急車、救急救命士または医師が現場に到着するまでの時期における患者のダメージを軽減することが可能となる、特に蘇生時に発生する活性酸素等の有害物質による障害を抑制できる。そして、患者の生存率の改善、後遺症の軽減、ＱＯＬ（Ｑｕａｒｉｔｙ  Ｏｆ  Ｌｉｆｅ）の向上、医療費の抑制に寄与することを期待できる。水素含有ガスの吸入処置は、心停止後症候群以外の症状、疾患、疾病に対する適応もあり得よう。例えば、水素を重度熱傷患者の身体に取り入れることで臓器（腎臓、肝臓等）へのダメージを軽減できる可能性を示唆した論文が現存する。
【００４６】
前記他の装置または器具がＡＥＤ４であり、このＡＥＤ４と同じ収納ケース３内に前記供給器１及び前記吸入器２が収容されるため、心肺蘇生が必要とされるような患者が発生したときに、ＡＥＤ４とともに本水素含有ガス吸入装置０を速やかに使用することが可能となる。
【００４７】
前記供給器１及び前記吸入器２が、一人の手により携行可能な寸法及び重量を有しているので、これを患者の発生した現場まで容易に持ち運ぶことができる上、患者を搬送する救急車にそのまま持ち込んで水素含有ガスの吸入を継続することも可能である。
【００４８】
本実施形態の水素含有ガス吸入装置０は、使用者が前記供給器１及び吸入器２を収容している収納ケース３の扉若しくは蓋３１を開く操作に起因して供給器１に何らかの作用が及ぼされることで、あるいは、使用者が前記供給器１及び吸入器２を収容している収納ケース３から供給器１及び吸入器２を持ち出す操作に起因して供給器１に何らかの作用が及ぼされることで、前記切替機構が前記非使用状態から前記使用可能状態へと切り替わるものとなっている。
【００４９】
なお、本発明は以上に詳述した実施形態に限られるものではない。各部の具体的構成は、本発明の趣旨を逸脱しない範囲で種々変形が可能である。
【符号の説明】
【００５０】
０…水素含有ガス吸入装置
１…供給器
２…吸入器
３…収納ケース
４…ＡＥＤ（他の装置または器具）
【図１】
2019118449.tif 000003
【図２】
2019118449.tif 000004
【図３】
2019118449.tif 000005
【図４】
2019118449.tif 000006
【図５】
2019118449.tif 000007
【図６】
2019118449.tif 000008
【図７】
2019118449.tif 000009
【図８】
2019118449.tif 000010
【図９】
2019118449.tif 000011